(57)【特許請求の範囲】
【請求項１】
台紙本体に受取人の氏名又は名称が記載されたカード体を着脱可能に保持してなるカード付き台紙において、
前記台紙本体は、対向する外側紙体と内側紙体とが一体に貼合され、前記内側紙体を内側にして重合展開可能な見開き体として構成され、
前記内側紙体には、前記カード体を保持する保持面を有し、前記台紙本体を重合させた状態で前記保持面を上方に向けて倒伏され、前記台紙本体を半展開させた状態で起立される立体が設けられ、
前記外側紙体及び内側紙体には、前記台紙本体を重合させた状態で、前記立体の保持面に保持された前記カード体の受取人の氏名又は名称を表面側から読み取り可能な表示枠が設けられる、
ことを特徴とするカード付き台紙。
【請求項２】
前記立体は、前記内側紙体に切り込み形成され、前記保持面の上辺が一方の重合紙面に連設されるとともに、前記保持面の下辺が支持片を介して他方の重合紙面に連設されており、前記台紙本体の展開に伴って前記保持面を水平に維持したまま前記支持片が起立される請求項１に記載のカード付き台紙。
【請求項３】
前記台紙本体は、前記外側紙体の表面に受取人に向けたメッセージが記載されるメッセージ記載部が設けられ、該メッセージ記載部の領域内に前記表示枠が設けられる請求項１又は請求項２に記載のカード付き台紙。
【請求項４】
前記台紙本体は、前記外側紙体及び内側紙体の一辺が折り線を介して連設される請求項１乃至請求項３のいずれか一項に記載のカード付き台紙。
【請求項５】
前記台紙本体は、長手方向軸に沿って二つ折りされる縦開き体として構成される請求項１乃至請求項４のいずれか一項に記載のカード付き台紙。
【発明の詳細な説明】
【技術分野】
【０００１】
本発明は、カード付き台紙の技術に関し、より詳細には、台紙本体に受取人の氏名又は名称が記載されたカード体を着脱可能に保持してなるカード付き台紙に関する。
【背景技術】
【０００２】
従来、新規顧客の獲得を目的とした広報活動を促進するために、一般の会社や個人宛にチラシやパンフレット等の案内物（ダイレクトメール）を配布することが広く行われている。これらの案内物は、台紙本体の表面や裏面に文章やイラスト等の広告が記載されて構成されているが、受取人にてその整理や保管が煩わしく、広告を読むことなく放置されたり捨てられたりしてしまう場合がある等、十分な広告効果が得られないといった問題があった。
【０００３】
上述した観点から、受取人の氏名又は名称とともに、広告主の会社名や電話番号等の他、受取人ごとに定められた住所、電話番号、管理番号等の個別情報等を記載したカード体を同封して配布することも行われている。台紙本体とは別にカード体を同封しておくことで、受取人の興味を惹いて、台紙本体の広告を確認せしめることができるとともに、台紙本体を廃棄したとしても、カード体の管理や整理が容易で、後日にカード体の記載事項に基づいて各種の情報にアクセスしたり、広告主が催す各種イベント等への入場券や会員券として利用したりすることができるため、その広告効果を押し上げることができる。
【０００４】
ところで、カード体を配付するための案内物としては、例えば、特許文献１に開示されるように、各種クレジットカードやキャッシュカード等のカード体を送付するために、台紙本体にカード体を着脱可能に保持したカード付き台紙として構成したものが公知である。具体的には、特許文献１に記載されるカード付き台紙は、台紙本体からカード体を取り取り外す際に、受取人にて台紙本体を展開する動作が誘導されるような構成とされており、受取人の視野に広告が入る可能性を大きくして広告効果を高めようとしたものである。
【０００５】
しかしながら、上述した特許文献１に開示されるような従来のカード付き台紙は、カード体がクレジットカード等であることから、カード体の受け取りを主とするため、受取人にて確実に手に取られることを前提とした構成になっている。そのため、クレジットカード等以外のカード体を送付するカード付き台紙に同様の構成を採用したとしても、受取人に特別なインパクトを与えるものではないため、受取人にて広告の内容に興味を抱かせるには至らず、他の案内物との差別化を図れずに期待するような広告効果を得ることができないという問題があった。
【先行技術文献】
【特許文献】
【０００６】
【特許文献１】特願２００６−２８１５４６号公報
【発明の概要】
【発明が解決しようとする課題】
【０００７】
そこで、本発明ではカード付き台紙に関し、前記従来の課題を解決するもので、受取人に特別なインパクトを与えて興味を喚起し、広告効果を一層高めることができるカード付き台紙を提供することを目的とする。
【課題を解決するための手段】
【０００８】
本発明の解決しようとする課題は以上の如くであり、次にこの課題を解決するための手段を説明する。
【０００９】
すなわち、請求項１においては、台紙本体に受取人の氏名又は名称が記載されたカード体を着脱可能に保持してなるカード付き台紙において、前記台紙本体は、対向する外側紙体と内側紙体とが一体に貼合され、前記内側紙体を内側にして重合展開可能な見開き体として構成され、前記内側紙体には、前記カード体を保持する保持面を有し、前記台紙本体を重合させた状態で前記保持面を上方に向けて倒伏され、前記台紙本体を半展開させた状態で起立される立体が設けられ、前記外側紙体及び内側紙体には、前記台紙本体を重合させた状態で、前記立体の保持面に保持された前記カード体の受取人の氏名又は名称を表面側から読み取り可能な表示枠が設けられるものである。
【００１０】
請求項２においては、前記立体は、前記内側紙体に切り込み形成され、前記保持面の上辺が一方の重合紙面に連設されるとともに、前記保持面の下辺が支持片を介して他方の重合紙面に連設されており、前記台紙本体の展開に伴って前記保持面を水平に維持したまま前記支持片が起立されるものである。
【００１１】
請求項３においては、前記台紙本体は、前記外側紙体の表面に受取人に向けたメッセージが記載されるメッセージ記載部が設けられ、該メッセージ記載部の領域内に前記表示枠が設けられるものである。
【００１２】
請求項４においては、前記台紙本体は、前記外側紙体及び内側紙体の一辺が折り線を介して連設されるものである。
【００１３】
請求項５においては、前記台紙本体は、長手方向軸に沿って二つ折りされる縦開き体として構成されるものである。
【発明の効果】
【００１４】
本発明の効果として、受取人に特別なインパクトを与えて興味を喚起し、広告効果を一層高めることができる。
【図面の簡単な説明】
【００１５】
【図１】本発明の一実施例に係るカード付き台紙の全体的な構成を示した斜視図である。
【図２】図１のカード付き台紙の台紙本体を重合させた状態の斜視図である。
【図３】台紙本体を展開させた状態の外側紙面の平面図である。
【図４】台紙本体を展開させた状態の内側紙面の平面図である。
【図５】カード付き台紙の台紙本体を半展開させた状態を示す断面図である。
【図６】カード付き台紙の台紙本体を重合させた状態の平面図である。
【図７】別実施例のカード付き台紙の台紙本体を重合させた状態の平面図である。
【発明を実施するための形態】
【００１６】
次に、発明を実施するための形態を説明する。
【００１７】
図１に示すように、本実施例のカード付き台紙１は、企業等の採用活動の場面で求人者から内定者に向けて配布される内定者向けの案内物として構成されている。具体的には、本実施例のカード付き台紙１は、台紙本体１１に少なくとも受取人の氏名又は名称が記載されたカード体１０を着脱可能に保持してなるカード付き台紙１として構成され、カード体１０及び台紙本体１１の表面や裏面に受取人が興味を惹くような文章、イラスト、写真等からなる各種の広告が記載されている。
【００１８】
ここで、「内定者向けの案内物」とは、企業等の求人者が新卒者等の求職者の採用活動を行う場合において、内定段階で求職者（内定者）に向けて配布されるチラシやダイレクトメール等の紙媒体のことをいう。すなわち、近年の採用活動においては、ウェブサイト・動画・電子メール・ＳＮＳ等の電子媒体を活用することが必須となっているが、その一方で、手に取る・開封するといった動作を介して求職者の興味を喚起できる紙媒体も並行して利用されている。本実施例のカード付き台紙１は、採用活動の場面において、特に、内定辞退を防止するために、求人者と内定者との間のコミュニケーションを促進する採用ツールの一つとして使用することができる。
【００１９】
図１、図２及び図４に示すように、カード体１０は、平面視長方形状の紙製又は樹脂製の方形片として形成されている。カード体１０は、採用企業が発行する内定者向けの仮の名刺（以下、「内定者名刺」という。）として構成されており、本実施例では、カード体１０の表面の右欄領域に広告主である求人者（企業）の社名や住所等が記載される広告主情報記載部１０ａが設けられ、左欄領域に受取人ごとに定められた個別情報の内、受取人である求職者（内定者）の氏名が記載される受取人情報記載部１０ｂが設けられている。
【００２０】
図１乃至図５に示すように、台紙本体１１は、対向する外側紙体１２と内側紙体１３とが一体に貼合され、内側紙体１３を内側にして重合・展開が可能な見開き体として構成されており、具体的には、外側紙体１２と内側紙体１３とが折り線１２ａ・１３ａにて長手方向軸に沿って二つ折りされた縦開き体に形成され、後述するように内側紙体１３（の立体１５）にカード体１０が着脱可能に保持される。
【００２１】
台紙本体１１は、外側紙体１２及び内側紙体１３の一辺が折り線１４を介して連設された一枚ものの紙体として形成されており、外側紙体１２及び内側紙体１３の少なくとも一方の裏面の全体又は一部に接着剤が塗布され、外側紙体１２及び内側紙体１３が折り線１４に沿って折り曲げられて、外側紙体１２及び内側紙体１３の縁部を一致させるようにして裏面同士が重ね合わされることで貼合されている（図５参照）。
【００２２】
台紙本体１１は、カード体１０（内定者名刺）を送付するカード送付用の紙媒体として構成され、台紙本体１１の表面及び裏面、すなわち外側紙体１２及び内側紙体１３の表面に広告主である求人者（企業）から受取人である求職者（内定者）に向けた各種の広告が記載されている。具体的には、台紙本体１１には、求人者から求職者に向けたメッセージが記載されるメッセージ記載部１１ａと、求人者から求職者に対する挨拶が記載される挨拶記載部１１ｂと、求人者の社名や住所等が記載される会社情報記載部１１ｃと、求人者の業務内容や社内の雰囲気等の紹介案内が記載される業務紹介記載部１１ｄと、カード体１０の名称や使用方法が記載されるカード情報記載部１１ｅ等が設けられている。
【００２３】
外側紙体１２は、平面視正方形状の紙製の方形片として形成され、台紙本体１１を重合させた状態で、折り線１２ａを境にして表面側（図５において上方）に位置される外側上面１２ｂと、裏面側（図５において下方）に位置される外側下面１２ｃとに区画されている。外側紙体１２の表面には、広告主である求人者からの各種の広告が記載されており、本実施例では、外側上面１２ｂの表面の中央領域にメッセージ記載部１１ａ及び上方領域に会社情報記載部１１ｃが設けられ、外側下面１２ｃの表面の右欄下方領域に会社情報記載部１１ｃ並びに中央領域及び右欄上方領域に業務紹介記載部１１ｄが設けられている（図３参照）。
【００２４】
内側紙体１３は、上述した外側紙体１２と同一形状の平面視正方形状の紙製の方形片として形成され、台紙本体１１を重合させた状態で、折り線１３ａを境にして表面側（図５において上方）に位置される内側上面１３ｂと、裏面側（図５において上方）に位置される外側下面１３ｃとに区画されている。内側紙体１３の表面には、広告主である求人者からの各種の広告が記載されており、本実施例では、内側上面１３ｂの表面の上方領域にメッセージ記載部１１ａ及び右欄上方領域に挨拶記載部１１ｂが設けられ、内側下面１３ｃの表面の左右欄上方領域及び下方領域にカード情報記載部１１ｅが設けられている（図４参照）。
【００２５】
内側紙体１３には、カード体１０を保持する保持面１５ａを有し、台紙本体１１を重合させた状態で保持面１５ａを上方に向けて倒伏され、台紙本体１５を半展開させた状態で起立される立体１５が設けられている。
【００２６】
立体１５は、保持面１５ａの下辺に折り線１５ｃを介して支持片１５ｂが連設されてなり、全体として平面視長方形状に形成されている。立体１５は、内側紙体１３の内側上面１３ｂ及び内側下面１３ｃに連続して折り線１３ａを跨いで切り込み形成され、保持面１５ａの上辺が折り線１６を介して一方の重合紙面である内側上面１３ｂに連設され、支持片１５ｂの下辺が折り線１７を介して他方の重合紙面である内側下面１３ｃに連設されている。
【００２７】
保持面１５ａには、上下に斜めに切り込まれたスリット１５ｄ・１５ｄが対向する位置に設けられており、スリット１５ｄ・１５ｄに上述したカード体１０の隅角部が差し込まれて着脱可能に保持されている。また、立体１５の表面には、広告主である求人者からの各種の広告が記載されており、本実施例では、支持片１５ｂの表面の中央領域にカード情報記載部１１ｅが設けられている（図４参照）。
【００２８】
図５に示すように、本実施例のカード付き台紙１は、台紙本体１１を重合させた状態から折り線１２ａ・１３ａに沿って展開させる際に、折り線１３ａに跨って形成される立体１５が突出して現出される。すなわち、台紙本体１１を重合又は半展開させた状態では、立体１５が折り線１６・１７に沿って谷折り（以下、折目が低くなるように折り曲げることを「谷折り」、折目が高くなるように折り曲げることを「山折り」という。）されるとともに、折り線１５ｃに沿って山折りされて、保持面１５ａを水平に維持したまま支持片１５ｂが倒伏される。そして、台紙本体１１の展開に伴って、折り線１６・１７の谷折りが開かれるとともに、折り線１５ｃの山折りが開かれて、保持面１５ａを水平に維持したまま支持片１５ｂが起立される。
【００２９】
図２及び図６に示すように、台紙本体１１は、台紙本体１１を重合させた状態で、外側紙体１２及び内側紙体１３に立体１５の保持面１５ａに保持されたカード体１０の受取人の氏名又は名称を表面側から読み取り可能な表示枠１８が設けられている。表示枠１８は、外側紙体１２の外側上面１２ｂ及び内側紙体１３の内側上面１３ｂを連通して矩形状に開口されている。
【００３０】
表示枠１８は、台紙本体１１を重合させた状態で、立体１５に保持されたカード体１０の受取人情報記載部１０ｂの領域に記載された受取人である求職者の氏名に対応する位置に設けられている。本実施例では、カード体１０の受取人情報記載部１０ｂの領域内に求職者の氏名（「〇〇  〇〇」の文字で表記される。）が記載されており、台紙本体１１を重合させた状態で、表示枠１８にカード体１０に記載される求職者の氏名の文字部分（「〇〇  〇〇」）が現れて、台紙本体１１の表面側から求職者の氏名を読み取ることができる。
【００３１】
また、表示枠１８は、台紙本体１１の表面側の中央領域であって、外側紙体１２の外側上面１２ｂに設けられたメッセージ記載部１１ａの領域内に設けられている。本実施例では、外側紙体１２の外側上面１２ｂのメッセージ記載部１１ａの領域内に求人者から求職者に向けたメッセージ（「△△から」及び「さんへささやかな贈りもの」の文字で表記される。）が記載されている。なお、「△△」の文字部分には広告主である求人者の社名が表記され、「さんへささやかな贈りもの」の文字部分の近傍位置に表示枠１８が配設される。
【００３２】
従って、台紙本体１１を重合させた状態では、外側紙体１２の外側上面１２ｂのメッセージ記載部１１ａの領域内に表示枠１８にカード体１０に記載された求職者の氏名の文字部分（「〇〇  〇〇」）が現れて、外側紙体１２の外側上面１２ｂに求職者に宛てたメッセージ文（「△△から〇〇  〇〇さんへささやかな贈りもの」の文字で表記される。）が完成する。
【００３３】
以上のように、本実施例のカード付き台紙１は、台紙本体１１に受取人の氏名又は名称が記載されたカード体１０を着脱可能に保持してなるカード付き台紙１において、台紙本体１１は、対向する外側紙体１２と内側紙体１３とが一体に貼合され、内側紙体１３を内側にして重合展開可能な見開き体として構成され、内側紙体１３には、カード体１０を保持する保持面１５を有し、台紙本体１１を重合させた状態で保持面１５ａを上方に向けて倒伏され、台紙本体１１を半展開させた状態で起立される立体１５が設けられ、外側紙体１２及び内側紙体１３には、台紙本体１１を重合させた状態で、立体１５の保持面１５ａに保持されたカード体１０の受取人の氏名又は名称を表面側から読み取り可能な表示枠１８が設けられるため、受取人に特別なインパクトを与えて興味を喚起し、広告効果を一層高めることができるのである。
【００３４】
すなわち、本実施例のカード付き台紙１は、台紙本体１１とは別体に形成されるカード体１０が設けられるため、受取人の興味を惹いて、台紙本体１１に記載される広告を確認せしめることができることができるだけでなく、台紙本体１１を廃棄したとしても、カード体１０の管理や整理が容易で、後日にカード体の記載事項に基づいて広告情報にアクセスしたり、広告主が催す各種イベント等への入場券や会員券として利用したりすることができるため、その広告効果を押し上げることができる。また、台紙本体１１に設けられた立体１５の保持面１５ａにカード体１０が保持され、台紙本体１１が半展開される際に立体１５が起立されることで、カード体１０が紙面から浮き出てくるような演出効果により、受取人に強いインパクトを与えることができるとともに、台紙本体１１を重合させた状態でカード付き台紙１の表面側に表示枠１８を介して受取人の氏名又は名称が現れることで、受取人に向けた特別なメッセージを伝えることができ、受取人に対して広告内容に大きな興味を抱かせ、他の案内物との差別化により優れた広告効果を得ることができる。
【００３５】
特に、本実施例では、カード付き台紙１が内定者向けの案内物として構成されることから、カード付き台紙１により受取人である求職者（内定者）に向けて特別なインパクトを与えて興味を喚起し、求人者と内定者との間のコミュニケーションを促進して内定者の内定辞退を防止するという広告効果を発揮することが期待できる。
【００３６】
また、本実施例のカード付き台紙１の立体１５は、内側紙体１３に切り込み形成され、保持面１５ａの上辺が内側上面１３ｂに連設されるとともに、保持面１５ａの下辺が支持片１５ｂを介して内側下面１３ｃに連設されており、台紙本体１１の展開に伴って保持面１５ａを水平に維持したまま支持片１５ｂが起立されるように構成されるため、立体１５の保持面１５ａに保持されたカード体１０が水平に維持されたままで紙面から浮き出てくるという高い演出効果を奏することができ、受取人により強いインパクトを与えることができる。
【００３７】
また、本実施例のカード付き台紙１の台紙本体１１は、外側紙体１２の表面に受取人に向けたメッセージが記載されるメッセージ記載部１１ａが設けられ、メッセージ記載部１１ａの領域内に表示枠１８が設けられるため、台紙本体１１を重合させた状態で、カード付き台紙１の表面側に表示枠１８を介して現れる氏名又は名称を含めたメッセージを完成させることができ、受取人に与える特別感をより高めることができる。
【００３８】
また、本実施例のカード付き台紙１の台紙本体１１は、外側紙体１２及び内側紙体１３の一辺が折り線１４を介して連設されるため、一枚ものの紙体として形成することができ、外側紙体１２及び内側紙体１３の表面に各種の広告を一度に印刷することで、カード付き台紙１の製造や組み立てが容易となる。
【００３９】
また、本実施例のカード付き台紙１の台紙本体１１は、長手方向軸に沿って二つ折りされる縦開き体として構成されるため、受取人にて台紙本体１１の重合展開の動作が容易であるとともに、カード体１０を保持したまま立体１５を確実に起立させることができる。
【００４０】
なお、カード付き台紙１の構成としては、上述した実施例に限定されず、本発明の目的を逸脱しない限りにおいて種々の変更が可能である。
【００４１】
すなわち、上述した実施例のカード付き台紙１では、カード体１０の表面に広告主情報記載部１０ａ及び受取人情報記載部１０ｂが設けられ、台紙本体１１にメッセージ記載部１１ａ、挨拶記載部１１ｂ、会社情報記載部１１ｃ、業務紹介記載部１１ｄ及びカード情報記載部１１ｅが設けられているが、カード体１０及び台紙本体１１の表面に記載される広告等の内容やその配置構成については特に限定されず、少なくともカード体１０の表面に受取人の氏名又は名称が記載されていればよい。
【００４２】
例えば、図７に示す別実施例のカード付き台紙１では、上述した実施例（図６等参照）とは異なり、カード体１０の中央領域に受取人情報記載部１０ｂが設けられ、受取人情報記載部１０ｂの領域内の中央に受取人の氏名又は名称が記載されている。そして、台紙本体１１は、外側紙体１２の外側上面１２ｂの略中央位置に表示枠１８が設けられており、台紙本体１１を重合させた状態で、台紙本体１１の表面側から立体１５の保持面１５ａに保持されたカード体１０の受取人の氏名又は名称を読み取ることができるように構成されている。
【００４３】
また、上述した実施例のカード付き台紙１では、カード体１０が内定者名刺として構成される場合について説明したが、カード体１０の構成はこれに限定されず、例えば、求職者（内定者）に向けた各種説明会、内定式、セミナー等で使用することができる入場券や記念品引換券として構成してもよい。
【００４４】
また、上述した実施例では、カード付き台紙１が内定者向けの案内物として構成される場合について説明したが、カード付き台紙１を一般の会社や個人宛の案内物（広告ツール）として構成してもよい。かかる場合には、カード体１０としては、例えば、広告主が催す商品説明会や展示会場、見本市等で使用することができる入場券、駐車券、会員券、呈茶券、食事券、記念品引換券等として構成することができる。
【００４５】
カード付き台紙１を一般的な広告ツールとして構成する場合、カード体１０の表面又は裏面には、例えば、広告主の名称（社名）、住所、電話番号、ホームページアドレス、担当者の氏名、電話番号及びメールアドレス等の会社案内の他、受取人ごとに定められた個別情報として、受取人の氏名又は名称、住所、管理番号、バーコード、抽選番号等が記載される。また、台紙本体１１の表面には、広告主から受取人に向けた各種の広告が記載され、例えば、広告主から受取人に向けた挨拶やメッセージ、広告主の会社情報や会社案内、商品・サービスの広告や案内、カード体１０の使用方法等が記載される。
【符号の説明】
【００４６】
１      カード付き台紙
１０    カード体
１０ａ  広告主情報記載部
１０ｂ  受取人情報記載部
１１    台紙本体
１１ａ  メッセージ記載部
１１ｂ  挨拶記載部
１１ｃ  会社情報記載部
１１ｄ  業務紹介記載部
１１ｅ  カード情報記載部
１２    外側紙体
１２ａ  折り線
１２ｂ  外側上面
１２ｃ  外側下面
１３    内側紙体
１３ａ  折り線
１３ｂ  内側上面
１３ｃ  内側下面
１４    折り線
１５    立体
１５ａ  保持面
１５ｂ  支持片
１５ｃ  折り線
１５ｄ  スリット
１６    折り線
１７    折り線
１８    表示枠
【要約】
【課題】受取人に特別なインパクトを与えて興味を喚起し、広告効果を一層高めることができるカード付き台紙を提供する。
【解決手段】台紙本体１１に受取人の氏名又は名称が記載されたカード体１０を着脱可能に保持してなるカード付き台紙１において、台紙本体１１は、対向する外側紙体１２と内側紙体１３とが一体に貼合され、内側紙体１３を内側にして重合展開可能な見開き体として構成され、内側紙体１３には、カード体１０を保持する保持面１５を有し、台紙本体１１を重合させた状態で保持面１５ａを上方に向けて倒伏され、台紙本体１１を半展開させた状態で起立される立体１５が設けられ、外側紙体１２及び内側紙体１３には、台紙本体１１を重合させた状態で、立体１５の保持面１５ａに保持されたカード体１０の受取人の氏名又は名称を表面側から読み取り可能な表示枠１８が設けられる。
【選択図】図１【図１】
0006628348.tif 000002
【図２】
0006628348.tif 000003
【図３】
0006628348.tif 000004
【図４】
0006628348.tif 000005
【図５】
0006628348.tif 000006
【図６】
0006628348.tif 000007
【図７】
0006628348.tif 000008